(57)【要約】  本発明は、画像データ１０６を記憶する電子記憶装置１０４を備える文書であって、画像データを再生する発光型表示装置１１０を備え、該表示装置に電気エネルギーを供給するエネルギー供給手段１１２、１１４、１１６；１２８を備え、表示装置上に配置されている光学層１１８を備え、該光学層は少なくとも１つの画像を有し、該光学層は、表示装置に電気エネルギーが供給されないときに画像が視覚的に知覚可能であるように形成されている、文書に関する。【選択図】図５
2011517808.tif 000002
【特許請求の範囲】
【請求項１】
画像データ（１０６）を記憶する電子記憶装置（１０４）を備える文書であって、
前記画像データを再生する発光型の表示装置（１１０）と、
前記表示装置に電気エネルギーを供給するエネルギー供給手段（１１２、１１４、１１６；１２８）と、
前記表示装置の前方に配置されている光学層（１１８）と
を備え、
前記光学層は少なくとも１つの画像を有し、前記表示装置に前記電気エネルギーが供給されないときに前記画像が視覚的に知覚可能であるように形成されている、文書。
【請求項２】
前記表示装置は黒い背景を有する、請求項１に記載の文書。
【請求項３】
前記光学層はホログラムを含み、該ホログラムは好ましくは、１０％から５０％の回折効率を有する、請求項１又は２に記載の文書。
【請求項４】
前記ホログラムは前記表示装置に接着されている、請求項３に記載の文書。
【請求項５】
前記光学層は液晶着色剤を含む、請求項１から４のいずれか一項に記載の文書。
【請求項６】
前記液晶着色剤は、コレステリック液晶を有する顔料を含む、請求項５に記載の文書。
【請求項７】
前記光学層はマイカ粒子を含む、請求項１から６のいずれか一項に記載の文書。
【請求項８】
前記マイカ粒子は、二酸化チタン及び／又は二酸化ケイ素によって被覆されている、請求項７に記載の文書。
【請求項９】
前記光学層は、２０％未満、特に１０％未満、好ましくは５％未満の着色剤被覆率で前記表示装置に施されている着色剤を含む、請求項１から８のいずれか一項に記載の文書。
【請求項１０】
前記光学層は印刷されている、請求項５から９のいずれか一項に記載の文書。
【請求項１１】
前記光学層は個別化されている、請求項１から１０のいずれか一項に記載の文書。
【請求項１２】
前記画像は顔画像である、請求項１から１１のいずれか一項に記載の文書。
【請求項１３】
前記画像データは、１つ又は複数の顔画像を含む、請求項１から１２のいずれか一項に記載の文書。
【請求項１４】
前記画像データは画像シーケンスを含む、請求項１から１３のいずれか一項に記載の文書。
【請求項１５】
前記画像は、第１の視点に基づく顔画像であり、前記画像データは、少なくとも第２の視点に基づく顔画像を含む、請求項１から１４のいずれか一項に記載の文書。
【請求項１６】
前記エネルギー供給手段はエネルギー蓄積装置（１１２）を含む、請求項１から１５のいずれか一項に記載の文書。
【請求項１７】
前記エネルギーの供給をオンに切り替える操作手段（１１６）を備える、請求項１６に記載の文書。
【請求項１８】
前記エネルギー供給手段は、前記電気エネルギーを外部エネルギー源（１３２）から供給するように形成されている、請求項１から１７のいずれか一項に記載の文書。
【請求項１９】
前記文書は、外部読み取り装置（１３２）との通信のための通信インタフェース（１２８）を備え、該通信インタフェースによって前記エネルギー供給手段は形成される、請求項１から１８のいずれか一項に記載の文書。
【請求項２０】
重要文書又はセキュリティ文書、特に、たとえば身分証明書、パスポート、査証、運転免許証、社員証、資格証明書、クレジットカード、銀行カード、貨物運送状等である、請求項１から１９のいずれか一項に記載の文書。
【請求項２１】
前記文書は、紙、およびプラスチックの少なくとも一方をベースにして形成されている文書本体（１０２）を有する、請求項１から２０のいずれか一項に記載の文書。
【請求項２２】
チップカードである、請求項１から２１のいずれか一項に記載の文書。
【請求項２３】
前記表示装置に前記電気エネルギーが供給され、それによって、前記画像データの再生が前記画像を光で隠すとき、前記画像は視覚的に知覚可能でありうる、請求項１から２２のいずれか一項に記載の文書。
【発明の詳細な説明】
【技術分野】
【０００１】
本発明は、発光型表示装置を備える文書、特に重要文書又はセキュリティ文書に関する。
【背景技術】
【０００２】
集積電子回路を備える文書自体は、当該技術水準から様々な形態で既知である。たとえば、重要文書及びセキュリティ文書は、主に紙ベースの形態で、たとえば紙幣として、電子パスポートとして、又はプラスチックベースのチップカードとして、特にいわゆるスマートカードとして、接触型、非接触型、又はデュアルインタフェース型に実装されて存在している。これに関しては、特に特許文献１を参照されたい。
【０００３】
特に、このような文書のための様々な無線検出システムが当該技術水準から既知であり、これらのシステムは無線周波数識別（ＲＦＩＤ）システムとも呼ばれる。既知のＲＦＩＤシステムは概して、少なくとも１つのトランスポンダ及び送受信装置を備える。トランスポンダは、ＲＦＩＤマーカ、ＲＦＩＤチップ、ＲＦＩＤタグ、ＲＦＩＤラベル、又は無線マーカとも呼ばれる。送受信装置は、読み取り装置、読み取り機、又はリーダとも呼ばれる。さらに、多くの場合、サーバ、サービス、及び、たとえばレジシステム又は在庫管理システムのような他のシステムと、いわゆるミドルウェアを介して統合することが意図されている。
【０００４】
非接触型トランスポンダ、たとえばＲＦＩＤトランスポンダ上に記録されているデータは無線波を介して使用可能になる。これは、周波数が低い場合は近距離場を介して誘導的に生じ、周波数が高い場合は遠距離電磁場を介して生じる。読み取り装置とＲＦＩＤトラスポンダとの通信におけるデータの伝送は無線波を介して行われる。システムに応じて、伝送は近距離場又は遠距離場を介して行われる。
【０００５】
ＲＦＩＤトランスポンダは通常、キャリア若しくはハウジング内に収容されているか又は基板上に印刷されているマイクロチップ及びアンテナを備える。アクティブＲＦＩＤトランスポンダは、パッシブトランスポンダとは異なり、さらにたとえば蓄電池のようなエネルギー源を使用する。
【０００６】
ＲＦＩＤトランスポンダは、たとえば電子財布を実現するために又は電子チケット発行のために、特にチップカード内で様々な文書に使用可能である。さらに、これらのＲＦＩＤトランスポンダは、たとえば重要文書及びセキュリティ文書、特に紙幣及び証明書のような紙又はプラスチックに一体化される。
【０００７】
特許文献２から、たとえば、積層プラスチック及び／又は射出成形プラスチックから成る身分証明セキュリティカードが既知であり、このカードは、ＲＦＩＤ方式を実施するためのアンテナを備える集積半導体を備える。さらに、特許文献３から、たとえばパスポートのような、トランスポンダ装置を備えるブック型重要文書が既知である。
【０００８】
このようなセキュリティ文書又は重要文書は、たとえば特許文献４、特許文献５、特許文献６、特許文献７、特許文献８、特許文献９、特許文献１０、特許文献１１、特許文献１２、特許文献１３、特許文献１４、特許文献１５、特許文献１６、特許文献１７、特許文献１８から既知であるように、一体化されている表示装置を備えることができる。
【０００９】
セキュリティ文書又は重要文書は、接触型インタフェース若しくは非接触型インタフェース、たとえばＲＦＩＤインタフェース、又は、チップカード端末との有線通信も無線通信も可能にするインタフェースを備えることができる。後者の場合、いわゆるデュアルインタフェースチップカードという用語も使用される。チップカード通信のプロトコル及び方式は、たとえば規格ＩＳＯ  ７８１６、ＩＳＯ  １４４４３、ＩＳＯ  １５７６３において定義されている。
【００１０】
特許文献１９から、表示装置を備える文書が既知である。表示装置は、３次元画像の自動立体生成のための光学層を有する。光学層は印刷することができる。光学層は、表示層による第１の画像の再生時に、光学層の第２の画像の印刷された画素が良好に視覚的に知覚可能であり、それによって、３次元画像を自動立体生成することができるように形成されている。この場合、表示層の画像も、印刷された画像も、表示層の動作中に同時に見ることができる。
【先行技術文献】
【特許文献】
【００１１】
【特許文献１】独国特許出願公開第１０  ２００５  ０２５  ８０６号明細書
【特許文献２】独国実用新案登録第２０１  ００  １５８号公報
【特許文献３】独国特許出願公開第１０  ２００４  ００８  ８４１号明細書
【特許文献４】独国特許出願公開第１０  ２００５  ０３０  ６２６号明細書
【特許文献５】独国特許出願公開第１０  ２００５  ０３０  ６２７号明細書
【特許文献６】独国特許出願公開第１０  ２００５  ０３０  ６２８号明細書
【特許文献７】国際公開ＷＯ２００４／０８０１００号パンフレット
【特許文献８】欧州特許第１  ０２３  ６９２号明細書
【特許文献９】独国特許第１０２  １５  ３９８号明細書
【特許文献１０】欧州特許第１  １７３  ８２５号明細書
【特許文献１１】欧州特許第１  ２３０  ６１７号明細書
【特許文献１２】欧州特許第１  ３０３  ８３５号明細書
【特許文献１３】欧州特許第１  ５３７  ５２８号明細書
【特許文献１４】国際公開ＷＯ０３／０３００９６号パンフレット
【特許文献１５】欧州特許第０  ９２０  ６７５号明細書
【特許文献１６】米国特許第６，０１９，２８４号明細書
【特許文献１７】米国特許出願第６，４０２，０３９号明細書
【特許文献１８】国際公開ＷＯ９９／３８１１７号パンフレット
【特許文献１９】国際公開ＷＯ２００７／０４８８５５号パンフレット
【発明の概要】
【発明が解決しようとする課題】
【００１２】
これに対して、本発明は、表示装置を備える、改良された文書、特に重要文書又はセキュリティ文書を作製するという課題に基づく。
【課題を解決するための手段】
【００１３】
本発明の課題は、請求項１に記載の特徴によって解決される。本発明の実施の形態は、従属項において提示されている。
【００１４】
本発明の実施の形態によれば、文書は、画像データを記憶する電子記憶装置を有する。画像データは、単一の画像、複数の画像、又は画像シーケンスを含むことができる。代替的に、記憶装置は、画像データを生成するデータ及び／又はアルゴリズムを含むことができる。
【００１５】
ここで、「画像データ」は、表示装置上での再生に適している全てのデータを意味する。特に、画像データは、人物の１つ若しくは複数の写真、特に顔画像を含むことができ、且つ／又は、テキスト情報、光学的に機械読み取り可能な情報、１次元若しくは２次元バーコード等とすることができる。
【００１６】
文書は、画像データを再生する発光型表示装置を有する。発光型表示装置は、放射型表示装置、すなわち、放射源として作用するディスプレイを意味する。このような発光型ディスプレイは特に、暗闇においても良好に読み取り可能であるという利点を有する。ただし、画像データの表示のために放射エネルギーを放出することを可能にするために、発光型ディスプレイはエネルギー供給を必要とする。したがって、文書は、表示装置に電気エネルギーを供給するエネルギー供給手段を有する。
【００１７】
表示装置の上方に光学層が配置されている。光学層は少なくとも１つの画像を有する。光学層は、表示装置に電気エネルギーが供給されないときに、画像が最適に視覚的に知覚可能であるように形成されている。すなわち、光学層は、表示装置がオンに切り替えられているとき、すなわち放射エネルギーを放出するとき、全く又はほとんど視覚的に知覚可能でなく、これに対して、表示装置に電気エネルギーが供給されないとき、すなわち実質的に放射エネルギーを放出しないとき、視覚的に知覚可能であるように形成されている。
【００１８】
換言すると、光学層は、表示装置がオフに切り替えられているときに該表示装置によって形成される暗い、特に黒い背景の前方において良好に視覚的に知覚可能であり、これに対して、表示装置がオンに切り替えられているときに該表示装置によって形成されるような明るい発光する背景の前方では全く又はほとんど視覚的に知覚可能でないように形成されている。
【００１９】
光学層をこのように形成することは特に、表示装置に電気エネルギーが供給されないか又は供給することができないときにおいても、表示装置の領域において画像を見ることができるという利点を有する。文書がたとえば、電子パスポート、身分証明書、又は運転免許証のようなＩＤ文書である場合、表示装置のためのエネルギー供給が利用可能でないときも視覚的検査が可能である。
【００２０】
本発明の一実施の形態によれば、発光型表示装置は、表示装置に電気エネルギーが供給されないときに、光学層に対して黒い背景を形成するように形成されている。この場合、黒い、すなわち入射する放射を吸収する背景によって、黒い背景の前方に存在する光学層が最も良く見えるようになる。
【００２１】
本発明の一実施の形態によれば、表示装置は、ＯＬＥＤディスプレイ又はバックライトディスプレイであり、たとえば液晶ディスプレイである。このようなディスプレイは、電気エネルギー供給がない場合は暗くなっている、すなわち、光学層に対して放射吸収背景を形成し、それによって、光学層は、補助手段を用いずとも、人間の目に十分なコントラストで知覚可能である。
【００２２】
本発明のさらなる一実施の形態によれば、バックライトと、その後ろに黒い背景とを有する透明な双安定ディスプレイが用いられる。ディスプレイは黒い背景の前で黒か又は透明に見えるため、示される画像は、バックライトがなければ、全く又は非常に制限された状態でしか知覚可能でない。この実施の形態は、第２の画像を観察することを可能にするには、バックライトにエネルギーを供給するだけでよく、これに対して、ディスプレイの駆動は、表示される内容を変えるためにのみ必要とされるという利点を有する。
【００２３】
本発明の一実施の形態によれば、光学層は、ホログラム、特に特有の（individuelles: individual）体積ホログラムである。ホログラムのコントラスト、及びひいては視認性は、背景に大きく依存する。特に、表示装置をオフに切り替えることによって利用可能となるような黒い背景によって、ホログラムの卓越した視認性が可能となる。これに対して、表示装置をオンに切り替えることによって実現されるような自己放射背景によって、ホログラムの視認性が劇的に低下し、それによって、ホログラムは全く又はほとんど視覚的に知覚可能でなくなる。
【００２４】
これは、一方では、表示装置に電気エネルギーが供給されない場合に、ホログラムが視覚的に知覚可能であり、それによって、たとえばこの場合においても文書の視覚的試験が可能であり、他方では、表示装置に電気エネルギーが供給される場合に、ホログラムが全く又はほとんど、表示装置上での画像データの画像再生を妨げないか又は悪化させないという利点を有する。
【００２５】
ここで、ホログラムは、１０％から５０％の低い回折効率、ひいては画像輝度を示すように実現することができる。黒い背景の前方では、ホログラムは依然として良好に視認可能であるが、そうでない場合は、視認可能でない。これはたとえば、材料がたとえば１０μｍの適切な膜厚を有すると共に、たとえば０．０３の達成可能な屈折率変調を有する場合の波長多重化によって首尾よく行われる。たとえば赤、緑、及び青のスペクトル領域における適切な波長の波長多重化を使用することによって、画像を真正の色印象でホログラムとして記憶することがこの方法で同時に可能となる。
【００２６】
ホログラムは好ましくは個別化されているが、特有に、たとえば認証番号の形態で存在することもできるし、全文書に対して同一である静的パターンを設けられることもできる。特に好ましいのは、意味があるように文書内に一体化することができるこれらの組み合わせである。たとえば、独国特許出願公開第１０２００７０１６７７７．８号明細書は、セキュリティフィルム、たとえば体積ホログラムをディスプレイモジュールの上へ施すこと、及び、モジュールの交換に対する保護としての、文書の隣接する部分を記載している。この場合、個別化されている特有のホログラムの組み合わせは、すなわち、たとえば、写真領域及びパターン上のホログラフィック写真、ディスプレイモジュールの縁領域、並びにそれに隣接する、文書本体の領域によって覆われて形成することができる。
【００２７】
ホログラムは、表示面よりも大きく、カード本体内に完全に入ることができるか、又は、表示装置だけでなく、カード本体に接着することができる。表示装置は文書内に一体化することができ、文書は、ホログラム及び表示装置を覆う全体的なカバーフィルムを提供することができる。特に、ホログラムは、表示装置に直接的に接着することはできず、たとえば文書の表面にわたって全面的に接着することができる。対応して、これは、たとえば印刷のような、画像を施す他の技術に適用される。
【００２８】
本発明の一実施の形態によれば、ホログラムは表示装置に接着されている。このためには、様々な接着剤、特に、同一出願人による独国特許出願公開第１０  ２００６  ０４８  ６４６．９号明細書に開示されている接着剤層が適している。文書の構成に応じて、ホログラムは、直接ではなく、側方において距離を置いて文書に接着することもでき、詳細には、ホログラムの関連する部分が依然として表示装置の上方に存在するようになっている。
【００２９】
さらに、続いて、傷に強い層を、たとえばラッカ又はフィルムの形態で施し、それによって、文書の有効期間中に光学層が摩耗してしまうのを防止することができる。
【００３０】
一実施の形態によれば、光学層は液晶着色剤を有する。この実施の形態では、液晶着色剤が、暗い背景の前方では良好に視認可能であり、これに対して、自ら発光する背景の前方では全く又はほとんど視認可能でないという特性を有することを本発明は利用する。特に、着色剤は、コレステリック液晶を含むものとすることができる。
【００３１】
本発明の一実施の形態によれば、光学層は、コレステリックポリマー、すなわち、コレステリック液晶相を形成するポリマーを含む。
【００３２】
本発明の一実施の形態によれば、光学層は、マイカ粒子を含む着色剤を有する。マイカ粒子は、二酸化チタン（ＴｉＯ２）及び／又は二酸化ケイ素（ＳｉＯ２）によって被覆することができる。マイカ系のこのような着色剤は、非常にはっきりとしたコントラスト性質を有する、すなわち、暗い背景の前方では良好に視覚的に知覚可能であり、自ら発光する背景の前方では全く又はほとんど視覚的に知覚可能でない。
【００３３】
本発明の一実施の形態によれば、光学層は、たとえば２０％未満、特に１０％未満、好ましくは５％未満の低い着色剤被覆率で施される着色剤を有する。「着色剤被覆率」とは、ここでは、着色剤によって覆われる像点の面積と像点の全面積との比率、すなわち、着色剤で覆われている像点の面積の百分率を意味する。着色剤を施すために、まず、インクジェット着色剤を用いて低い着色剤被覆率で透明フィルムを印刷することができる。そして、透明フィルムはディスプレイ上に施される。
【００３４】
一実施の形態によれば、光学層を形成する着色剤は、印刷技術によって、特にデジタル印刷によって施される。
【００３５】
本発明の一実施の形態によれば、着色剤は、熱転写印刷、熱昇華印刷、インクジェット印刷、又は他の個別化技術によって表示装置上に施される。
【００３６】
本発明の一実施の形態によれば、画像データは、光学層が有するものと同じ画像を含む。これは、表示装置に電気エネルギーが供給されないときにも、この画像が視覚的に知覚可能であるという利点を有する。
【００３７】
本発明の一実施の形態によれば、画像データは、光学層の画像とは異なる画像を含む。ここで、画像データの再生が光学層の画像によって損なわれないということが特に有利である。これは、光学層の画像が発光型表示装置の光で隠され（ueberstrahlt: outshined）、それによって、この画像が全く又はほとんど視覚的に知覚可能でなくなるためである。
【００３８】
本発明の一実施の形態によれば、文書はＩＤ文書である。ＩＤ文書の視覚的検査のために、光学層は、顔画像、好ましくは、文書の所有者の正面顔画像を有する。画像データは、同一の画像、若しくは文書の所持者の別の正面顔画像、及び／又は、１つ若しくは複数の側面顔画像を含むことができる。表示装置に電気エネルギーが供給される場合、画像データ内に保存されている顔画像を画像シーケンスの形態で出力することができる。
【００３９】
異なる視点に基づく重要文書又はセキュリティ文書の所有者の画像を有する画像シーケンスの再生は、単一の２次元画像の静的表示に対して、重要文書又はセキュリティ文書の所持者の検証をより確実にするという利点を有する。すなわち、多くの場合、証明書に通常含まれる正面顔画像だけでは、文書所有者の確実な検証には最適でないということが分かっている。したがって、たとえば国境の役人や警察による視覚的検証においても、読み取り装置を用いた機械的検証においても確実性を高めるために、本発明によれば、画像シーケンス内の所有者の少なくとも２つの画像が連続して表示装置上に再生される。これによって、機械的検証において、特に低い本人拒否率（ＦＲＲ）及び他人受入率（ＦＡＲ）を達成することができる。さらなる利点は、複数の視点を使用することによって所有者の検証が容易になるということである。
【００４０】
本発明の一実施の形態によれば、文書は、たとえば一次電池、すなわちバッテリ、又は、二次電池、すなわち再充電可能な蓄電池、電荷蓄積器としてのコンデンサ等のようなエネルギー蓄積装置を備える。エネルギー蓄積装置が早々に空になってしまうのを回避するために、表示装置に電気エネルギーを永続的に供給することはない。エネルギー供給をオンに切り替えるために、文書は、たとえば押しボタン等のような操作素子を有し、それによって、操作素子を操作することによって、表示装置のためのエネルギー供給をオン及びオフに切り替えることができる。ここで、有利には、特に、エネルギー供給がオフに切り替えられているか又はエネルギー蓄積装置が空である場合でも、光学層の画像に起因して文書の視覚的検査が可能である。
【００４１】
本発明の一実施の形態によれば、文書は、電気エネルギーを外部エネルギー源から供給するインタフェースを有する。電気エネルギーの供給は、容量性結合又は誘導性結合に基づいて接触を伴って又は接触を伴わずに（アンテナは必ずしも無線とは限らない！）行うことができる。好ましくは、電磁結合が使用される。たとえば、インタフェースは、電気エネルギーを供給するアンテナ又はコイルを備えることができる。
【００４２】
本発明の一実施の形態によれば、インタフェースが通信インタフェースとして形成されている。したがって、この場合、インタフェースは、エネルギーを供給する役割だけでなく、外部エネルギー源を形成する読み取り装置とのデータ交換の役割も果たす。特に、エネルギーの供給及びデータ交換は、ＲＦＩＤ方式に従って、たとえばＩＳＯ１４４４３に準拠して行うことができる。
【００４３】
本発明の一実施の形態によれば、文書は、重要文書又はセキュリティ文書、特に、たとえば身分証明書、パスポート又は運転免許証、資格証明書、クレジットカード、貨物運送状、査証等のようなＩＤ文書である。
【００４４】
本発明の一実施の形態によれば、文書は、紙ベース且つ／又はプラスチックベースである文書本体を有する。特に、文書はチップカードとすることができる。
【００４５】
本発明の複数の実施の形態によれば、画像は表示装置の前方に配置されており、該表示装置は、オフに切り替えられている状態では黒いか暗く、したがって画像のコントラストを強める。ここで、画像の配置及びサイズ、並びに、文書の側方構成に関しては様々な可能性がある。画像は、表示装置の表示面とユーザの目との間の光路内に存在するように、文書本体に接して又は文書本体内に配置しなければならない。画像を有する光学層は、したがって、表示装置と一致する必要はなく、表示面とは異なるサイズを有し、且つ／又は、側方において表示面から隔たることもできる。表示面と光学層との間に１つ又は複数の中間層が存在することができる。
【００４６】
本発明の複数の実施の形態によれば、表示装置はカード内に埋め込まれている。その上方に、たとえばＰＣフィルムが存在し、文書の上には、たとえば写真、３Ｄのドイツ国章、ホログラフィック機械可読ゾーン（holografischer Machine Readable Zone: holographic machine readable zone）（ＭＲＺ）等を含むようなイデンティグラム（Identigram）が全面にわたって施されている。
【００４７】
本発明の複数の実施の形態によれば、イデンティグラムのホログラフィック写真は表示装置の上方に存在している。該ホログラフィック写真は、たとえば表示装置に接着することができる。
【００４８】
本発明の複数の実施の形態によれば、表示装置に電気エネルギーが供給され、それによって、画像データの再生が画像を光で隠すとき、画像は視覚的に知覚可能でない。光で隠される「画像」は、ここでは、光学層が有する全体画像の一部も意味する、すなわち、文書は、全体画像の一部が光によって隠され、他の部分はそうではないように形成することができる。したがって、全体画像の一部が視覚的に知覚可能であり続けることが可能であり、これに対して、表示装置に電気エネルギーが供給され、それによって、光が放出するときには、部分画像は視覚的に知覚可能でない。したがって、「画像」はここでは、光学層が有する全体画像の部分画像も意味する。
【００４９】
さらに、本発明の実施形態を、図面を参照してより詳細に説明する。
【図面の簡単な説明】
【００５０】
【図１】一体型エネルギー蓄積装置を備える、本発明による文書の一実施形態のブロック図である。
【図２】インタフェースを備える、本発明による文書の一実施形態の平面図である。
【図３】本発明による文書及び読み取り装置のさらなる一実施形態のブロック図である。
【図４】表示装置によって再生される画像シーケンスの概略図である。
【図５】２つの異なる時点における、本発明による文書の一実施形態である。
【発明を実施するための形態】
【００５１】
以下の複数の実施形態の互いに一致する要素はそれぞれ、同じ参照符号を付されている。
【００５２】
図１は文書１００を示す。文書１００は、重要文書又はセキュリティ文書、特に、たとえば電子パスポート、身分証明書、ビザ等のようなＩＤ文書とすることができるが、運転免許証、銀行カード、クレジットカード、出入許可証等とすることもできる。文書１００は、紙ベース且つ／又はプラスチックベースで形成することができる文書本体１０２を有する。特に、文書１００は、たとえばチップカードのようなブック形状又はカード形状の文書とすることができる。
【００５３】
文書１００は、画像データ１０６を記憶する電子記憶装置１０４を有する。画像データは、１つ又は複数の画像、特に、文書の所持者の１つ又は複数の顔画像を含むことができる。
【００５４】
文書１００は、表示装置１１０のための駆動装置１０８を形成する集積電子回路を有する。電子記憶装置１０４、駆動装置１０８、及び／又は表示装置１１０は、１つ若しくは複数の別個の電子部品又は単一の一体型電子部品として形成することができる。
【００５５】
文書１００は、たとえば一次電池又は二次電池のようなエネルギー蓄積装置１１２を有する。エネルギー供給のオン及びオフの切り替えを可能にするために、文書１００はさらに、たとえばボタン１１４のような操作素子を有する。該操作素子の操作によって、スイッチ１１６が開閉される。スイッチ１１６を介してエネルギー蓄積装置１１２と駆動装置１０８とを接続することができる。この操作素子は、摩耗のないセンサとして実現することもできる。
【００５６】
表示装置１１０は、エネルギー供給がオフのとき、すなわち、スイッチ１１６が開いているとき、暗い、好ましくは黒の背景を有するように形成されている。これに対して、エネルギー供給がオンのとき、すなわち、スイッチ１１６が閉じているとき、表示装置１１０は、画像データ１０６の再生のために放射源として作用する、すなわち表示装置１１０は自己発光する。換言すると、表示装置１１０は発光型表示装置である。たとえば、表示装置１１０は、バックライトを有する液晶ディスプレイであるか、又はＯＬＥＤディスプレイである。
【００５７】
表示装置１１０上には光学層１１８があり、該光学層を通じて、ユーザ１２０が表示装置１１０を観察することが可能である。光学層１１８は少なくとも１つの画像を有する。光学層１１８は、表示装置１１０が電気エネルギーを供給されていないとき、すなわちスイッチ１１６が開いているときに、画像が、ユーザ１２０によって視覚的に良好に知覚可能であるように形成されている。表示装置１１０がオフのときにのみ、この表示装置は光学層１１８に対して暗い背景を提供し、それによって、光学層１１８の画像が、十分なコントラストと共にユーザ１２０によって視覚的に知覚可能になる。
【００５８】
これに対して、表示装置１１０がオンのとき、該表示装置は、光学層１１８の画像を光で隠し、それによって、該画像は、全く又はほとんどユーザ１２０が知覚することができなくなる。
【００５９】
特に、光学層１１８は、ホログラム、特に、文書１００の所持者の顔画像を有する特有の体積ホログラムとすることができる。ホログラムは、表示装置１１０に接着することができる。
【００６０】
光学層１１８は、プリントとすることもできる。プリントは、液晶着色剤、特にコレステリック液晶ポリマーから成ることができる。光学層１１８を形成するプリントは、マイカ粒子を含む着色剤によっても実現することができる。マイカ粒子は、二酸化チタン及び／又は二酸化ケイ素によって被覆することができる。
【００６１】
さらに、プリントは着色剤によって実現することができる。該着色剤は、２０％未満の低い着色剤被覆率で表示装置１１０上に施されており、それによって、表示装置がオンに切り替えられることによって、明るく発光する背景を形成する場合に、プリントは視覚的に全く又はほとんど知覚することができなくなる。
【００６２】
プリントは様々な個別化技術によって、たとえばデジタル印刷、熱転写印刷、熱昇華、インクジェット印刷、及び同様の方法によって表示装置に施すことができる。
【００６３】
エネルギー蓄積装置１１２が早々に空になってしまうのを防止するために、たとえば文書１００の視覚的検査を可能にするために画像データ１０６を表示装置１１０上に再生する必要があるときのみ、ユーザはボタン１１４を操作し、それによって、スイッチ１１６を閉じる。制御を行った後、ボタン１１４を再び操作し、それによって、スイッチ１１６を再び開く。
【００６４】
代替的に、スイッチ１１６は、操作後、たとえば数秒の特定の所定時間にわたって、閉じた位置にとどまり、それによって、後に自ら再び開くように形成することもできる。これによって、スイッチ１１６を開くためにボタン１１４を再び操作する必要がなくなる。特に、スイッチ１１６は、単安定マルチバイブレータとして実現することができる。
【００６５】
エネルギー蓄積装置１１２が空の場合でも、文書１００の視覚的検査、詳細には光学層１１８を示す画像を用いた検査は可能である。
【００６６】
図２は、本発明による文書１００のさらなる一実施形態の平面図を示す。この実施形態では、文書１００は、チップカード、たとえばいわゆるスマートカードとして形成されている。文書１００は、集積電子回路を備えるチップモジュール１２２を有する。該集積電子回路は、たとえば、電子記憶装置１０４及び駆動装置１０８（図１の実施形態を参照されたい）を実装する。チップモジュール１２２は、接触型、非接触型、又はいわゆるデュアルインタフェース型インタフェースを備えることができる。チップモジュール１２２はたとえば、文書本体１０２のキャビティ内に埋め込まれている。
【００６７】
文書本体１０２はたとえば、上に光学層１１８を有する表示装置１１０が存在するさらなるキャビティを有する。表示装置１１０は、チップモジュール１２２の集積電子回路によって駆動される。代替的には、表示装置１１０は、文書１００の対応するキャビティ内で、チップモジュール１２２から独立して機能すると共に自身の駆動装置及び画像データ記憶装置を備える完全に別個の装置として形成されている。
【００６８】
好ましくは、表示装置１１０のエネルギー供給は少なくとも、チップモジュール１２２から行われる。これは、チップモジュールが、文書１００のための読み取り装置、すなわちいわゆるチップカード端末が利用することができるような外部エネルギー源と、自身のインタフェースを介して接続可能であるためである。
【００６９】
図２の実施形態では、光学層１１８は、人物の顔画像によって形成される。この顔画像は、特有の体積ホログラムの形態で表示装置１１０上に施すことができる。これは、たとえば接着促進層によって体積ホログラムを固定することによって行われる。顔画像は、表示装置１１０に印刷することもできる。印刷のために、液晶着色剤、特に、コレステリック液晶相を有するポリマーを使用することができる。さらに、顔画像は、マイカ系着色剤、特に、被覆されたマイカ粒子、特に二酸化チタン及び／又は二酸化ケイ素によって被覆されたマイカ粒子を有する着色剤を用いて施すことができる。着色剤は、低い着色剤被覆率で施されるインクジェット用インクとすることもできる。
【００７０】
顔画像は、様々な個別化技術によって、たとえばデジタル印刷、熱転写印刷、熱昇華、インクジェット印刷、及び同様の方法によって表示装置に施すことができる。
【００７１】
チップモジュール１２２のインタフェースを介してエネルギーを文書１００に供給しない限り、表示装置１１０は暗いままである。ユーザが正面から文書１００を見るとき、この暗い背景の前方で、光学層１１８、すなわちここでは顔画像はユーザ１２０（図１を参照されたい）から良く見える。これは、文書１００の視覚的制御が常に、詳細には、文書１００のための読み取り装置が利用可能でない場合でも可能であるという利点を有する。
【００７２】
これに対して、文書のための読み取り装置が利用可能である場合、読み取り装置から電気エネルギーがチップモジュール１２２のインタフェースを介して供給され、それによって、直接的に且つ／又は間接的に駆動装置１０８を介して表示装置１１０にエネルギーが供給され、これによって、画像データ１０６（図１を参照されたい）が再生される。表示装置１１０は放射源として作用する。表示装置１１０によって形成される明るい背景の前方では、光学層１１８の顔画像は全く又はほとんどユーザ１２０が視覚的に知覚することができない。これは、この顔画像が、表示装置１１０の画像再生によって光で隠されてしまうためである。
【００７３】
表示装置１１０が再生することができる画像データ１０６は、光学層１１８が含む顔画像と同一の顔画像とすることができ、且つ／又は、１つ若しくは複数の他の画像、たとえば、様々な視点からの同一人物の２つ以上の顔画像、及び／又は、平文で読み取り可能なテキスト情報、及び／又は、たとえば１次元若しくは２次元のバーコードのような光学的に機械読み取り可能な情報とすることができる。画像データ１０６が複数の画像を含む場合、電気エネルギーがチップモジュール１２２のインタフェースを介して供給されると即座に、これらの画像は、同時に且つ／又は連続して表示装置１１０上で再生されることができる。
【００７４】
図３は、本発明による文書１００のさらなる一実施形態を示す。
【００７５】
この実施形態では、文書１００は、読み取り装置１３２、たとえばいわゆるチップカード端末の対応するインタフェース１３０を用いてデータを交換するためのインタフェース１２８を有する。インタフェース１２８及び１３０は、接触型、非接触型、又はデュアルインタフェース型インタフェースとして形成することができる。インタフェース１３０は、通信接続の確立の他に、電気エネルギーを文書１００のインタフェース１２８に供給する役割も果たす。これによって、該文書に電気エネルギーを供給することができる。
【００７６】
図３の実施形態では、画像データ１０６は、画像Ｂ１、Ｂ２、及びＢ３から成る画像シーケンスを含む。電気エネルギーがインタフェース１２８に供給されると即座に、駆動装置１０８は画像データ１０６にアクセスし、画像データＢ１、Ｂ２、Ｂ３を連続して繰り返し再生するために表示装置１１０を駆動する。
【００７７】
図４は、画像Ｂ１、Ｂ２、Ｂ３の表示装置１１０上での再生の経時的推移を示す。時間間隔Ｔ１の間、画像データ１０６の画像Ｂ１が表示装置１１０上で再生される。後続する時間間隔Ｔ２の間、画像データ１０６の画像Ｂ２が再生され、それに続く時間間隔Ｔ３の間、画像データ１０６の画像Ｂ３が再生される。画像Ｂ１、Ｂ２、Ｂ３のこの再生シーケンスは、電気エネルギーがインタフェース１２８に供給される限り、繰り返すことができる。時間間隔Ｔ１からＴ３は、同じか又は異なる長さを有することができる。たとえば、各時間間隔の長さは０．５秒から２秒の間にある。
【００７８】
画像Ｂ１は、人物の左側の横顔とすることができ、画像Ｂ２は正面の顔画像、画像Ｂ３は右側の顔画像とすることができる。画像Ｂ１、Ｂ２、Ｂ３が同一の人物の顔画像であり、顔画像は、それぞれ異なる視点から記録されていることが特に有利である。これは、これによって文書所持人の検証が容易になるためである。
【００７９】
図５は、表示装置１１０のためのエネルギー供給が利用可能でない時点Ｔオフと、画像データ１０６の表示装置１１０上での再生のためのエネルギー供給が利用可能である時点Ｔオンとにおける文書１００の一実施形態を示す。すなわち、時点Ｔオンにおいては、図１の実施形態ではスイッチ１１６が閉じているか、又は、図３の実施形態ではエネルギーがインタフェース１２８に供給される。
【００８０】
この実施形態では、画像Ｂ２は画像データ１０６内に存在するのみでなく、光学層１１８も形成する。すなわち、画像Ｂ２は、ホログラムとして表示装置１１０上に存在するか、又は、たとえば表示装置１１０上に印刷される。
【００８１】
時点Ｔオフでは、表示装置１１０は暗い背景を形成し、それによって、光学層１１８の画像Ｂ２が視覚的に良好に認識可能である。これに対して、時点Ｔオンにおいては、表示装置１１０に電気エネルギーが供給され、それによって、画像データ１０６、すなわち、画像シーケンスＢ１、Ｂ２、Ｂ３が繰り返し再生され、図５に示される時点Ｔ１では、ちょうど画像Ｂ１が再生される。このとき、光学層の画像Ｂ２は知覚可能でない。これは、表示装置１１０が再生する画像Ｂ１によって画像Ｂ２が光で隠されるためである。
【符号の説明】
【００８２】
１００  文書
１０２  文書本体
１０４  電子記憶装置
１０６  画像データ
１０８  駆動装置
１１０  表示装置
１１２  エネルギー蓄積装置
１１４  ボタン
１１６  スイッチ
１１８  光学層
１２０  ユーザ
１２２  チップモジュール
１２８  インタフェース
１３０  インタフェース
１３２  読み取り装置
【図１】
2011517808.tif 000003
【図２】
2011517808.tif 000004
【図３】
2011517808.tif 000005
【図４】
2011517808.tif 000006
【図５】
2011517808.tif 000007
【国際調査報告】
2011517808.tif 000008
2011517808.tif 000009
2011517808.tif 000010
2011517808.tif 000011